(57)【要約】【課題】  今後の住まいは骨組み等をスケルトン、間取り等をインフィルに分け、スケルトンを世代を超えて住み続けられるよう耐久性、耐震性の高い建物にし、インフィルを住む人のライフスタイルによつて最新の間取りや設備が導入しやすい住宅とする長期優良住宅が要求されているが、建築発注者には要求を満たす構造がわかりにくいという課題がある。【解決手段】  クラウドサーバーに建築基準法及び住宅性能基準構造の施工例、建築物、工事工程、建築資材、設備機器の２Ｄ及び３Ｄの写真と動画データ及びこの２Ｄ及び３Ｄ写真をテクスチャ処理した建築３Ｄテクスチャモデルデータと業務管理用データを記憶保存し、これらにより建築工事プランから設計、施工、点検維持、リフォームまでの欠陥工事を起させない施工管理と建築発注者に３Ｄテクスチャモデルによりビジュアルに施工工事全般を解説する手段を提供する。【選択図】図１
2012022551.tif 000002
【特許請求の範囲】
【請求項１】
サーバーの外部記憶装置に配置されたデータベースにデジタル化した建築工事の工事工程、建築工事用の建築資材、設備機器を撮影した２Ｄ及び３Ｄの写真及び動画データとこの写真及び動画撮影時の撮影データと単層又は内部構造を持った複数層よりなる建築３Ｄモデルデータ及びこの建築３Ｄモデルの各面それぞれに前記２Ｄ及び３Ｄの写真又は動画データを貼付けた建築３Ｄテクスチャモデルデータと業務管理用データとこれらの処理プログラムを記憶保存し、記憶保存されたこれらを組み合わせて使用し、建築工事のプランから設計、施工、点検維持、リフォームまでの各工程に関する施工管理と前記データの作成、表示、印刷、検索、編集の処理と工事履歴データの記憶保存を行ない、書面で保存義務のあるものは書面にて保存し、建設工事の管理を行なう電子情報処理装置。
【請求項２】
請求項１記載のデータを組合わせて使用し、宣伝広告のための一般公開用モデルハウスとして建物、建築資材、設備機器、内装外装、室内装飾、インテリア、カラーコーディネイト、建築施工時の工事工程の２Ｄ及び３Ｄの写真及び動画データよりなるテクスチャを貼付けた単層又は内部構造を持った複数層よりなる３Ｄテクスチャ仮想モデルハウスとカタログの作成、表示、印刷、検索処理を行なう請求項１記載の電子情報処理装置。
【請求項３】
請求項１記載のデータを組合わせて使用し、法律に基づく住宅の性能を等級で表す制度において住宅性能評価書を取得するために、必要とされてる工程を含んだ全工程においてそれぞれ検査した結果に単層又は内部構造を持った複数層よりなる建築３Ｄテクスチャモデルと重要点検箇所の部分工程及び部分構造３Ｄテクスチャモデルを使用して可視化を計った検査評価書の作成、表示、印刷処理を行なう請求項１記載の電子情報処理装置。
【発明の詳細な説明】
【技術分野】
【０００１】
クラウドサーバーに建築基準法及び住宅性能基準構造の施工例、建築工事の工事工程、建築工事用の建築資材、設備機器の２Ｄ及び３Ｄの写真と動画データ及びこの２Ｄ及び３Ｄ写真をテクスチャ処理した建築３Ｄテクスチャモデルデータと業務管理用データを記憶保存し、これらを組合せて建築工事のプランから設計、施工、点検維持、リフォームまでの欠陥工事、手抜き工事、工事ミスを起させない施工管理と長期優良住宅に義務付けられている住まいの履歴書へ建築３Ｄテクスチャモデルを添付して作成を行い、建築発注者に３Ｄテクスチャモデルによりビジュアルに施工工事全般を解説する手段を提供し、建築工事に関してEDI処理により建築資材の積算、発注納品管理を行い、建築完成後の定期点検、リフォーム工事のための携帯端末ＡＲ処理による建物の内部構造及び使用建築資材情報を情報タグとして表示することを行なう電子情報処理装置に関するものである。
【背景技術】
【０００２】
背景技術として建築物の間取り情報、建具情報の記入図面を電子的に読み取り、これらの情報により建築の３Ｄモデルを作成するシステムが知られているがこの技術は３Ｄモデルを作成することのみを目的としており、３Ｄモデルに工事工程、建築資材、設備機器等の実写の写真及び動画をテクスチャ処理した３Ｄテクスチャモデルの作成及びこのモデルにより建築工事のプラン、設計、施工、点検維持、リフォームまでの施工管理等のさまざまな用途に拡大使用することができないという課題がある。
【先行技術文献】
【特許文献】
【０００３】
【特許文献１】特開２００８−３３５３０
【発明の概要】
【発明が解決しようとする課題】
【０００４】
建築発注者の課題は
【０００５】
長期優良住宅の基本構造、自身の新築住宅へ適応すべき建築基準法、住宅性能基準が良くわからない。
【０００６】
どのような建築資材、設備機器を選べばいいか、費用に対して合理的な性能をもった資材等はどのようなものかが良くわからない。
【０００７】
特定業者の施工実績ではなく、ライフスタイルの異なる多くの人がどのような建築物を建てているかを知りたいが、系統付けてさまざまな情報を提供してくれる手段がない。
【０００８】
自分自身のプラン、アイデアを言葉で伝えるのが難しい。自身で３Ｄモデルを作り、３Ｄ設備機器等を配置し、これらを編集し、十分な事前打合わせを行い、できるだけ自身のプランに基づいた設計変更も少ない設計にしたい。
【０００９】
設計図、模型では具体的な設備、インテリア、カラーコーディネイト等も無くイメージがわかない。
【００１０】
工事スケジュールがはっきりせず、たびたびの現場訪問も難しく、重要な工程の自身でのチェックが難しい。工程毎にどこを重点的にチェックすればいいかが素人にはわからない。
【００１１】
工程写真も少なく、全体構造、内部構造もわからず、部分的な工程写真ではどこの箇所の工事かわからない。
【００１２】
どのような材料（メーカー、商品名、規格）が使われているか、特に外から見えなくなる材料の確認ができない。
【００１３】
工事が適正に行なわれているかがわからず欠陥工事、手抜き工事が不安だ。
【００１４】
必要な定期点検の箇所、時期がわからず、点検箇所の劣化程度も専門家でないとわからない。
【００１５】
リフォームをしたいが建物の内部構造がわからず専門家に相談しないとどのようなリフォームが可能なのかわからない。
【００１６】
リフォームのプラン、アイデアを言葉で伝えるのが難しい。リフォームを業者任せにすると、過剰仕様、過剰工事が不安だ。
【００１７】
建築業者の課題は
【００１８】
できるだけ建築資材、設備機器を標準化して建築資材のコストを下げ、発注納品管理を容易にし、工事の習熟を計り、工事ミスをなくしたい。
【００１９】
建築資材、設備機器の標準化により工事仕様の標準化を行い、均質で欠陥工事がない施工を行い、直接現場での施工管理を減らしコストの削減を計りたい。
【００２０】
欠陥工事、手抜き工事、工事ミスを起させない施工管理を徹底したい。
【００２１】
工事に対する工事日程の厳守、工事手順、施工納め方のその都度の現場説明、下請け業者の手配が必要で、絶えず施工管理に工事現場にでかけなくてはならずコストの負担が大きい。
【００２２】
資材の発注を必要になる都度行なうと発注忘れ、発注ミス、在庫切れ、納品の遅れ等により工事が遅延してしまう。
【００２３】
販売拡大にモデルハウスが一番効果がありモデルハウス作って展示したいが建築費、運営維持費に膨大な費用がかかってしまい難しい。
【００２４】
現行の住宅性能表示制度で定められた検査報告書は基礎配筋工事の完了時、躯体工事の完了時、下地張りの直前の工事の完了時、竣工時の４時点のみの検査報告で、工程写真も少なく又部分的なものであり適正に検査されているか不安で、検査結果が妥当であるかもわからない。
【課題を解決するための手段】
【００２５】
統一し標準化した建築工事に使用する建築資材・設備機器、外装内装、ドアサッシュ、照明器具、インテリア、配線・配管等各々のメーカーコード、メーカー名、商品コード、商品名、性能、設計価格、耐用年数、劣化判定基準、ＥＤＩ情報等の製品データと設計図により内部構造を持つ立体形状をつくった３Ｄモデルとこれらの建築資材・設備機器等を撮影した２Ｄ及び３Ｄの写真及び動画の画像データを仮想３次元空間上の立体形状表面に貼り付けた建築資材３Ｄテクスチャモデルとその製品データとを組合わせて提供し、この建築資材３Ｄモデル又は建築資材３Ｄテクスチャモデルは設計時の建物３Ｄモデル作成用建設資材としても使用し、製品データを建築発注者自身が対費用性能を検討し建築資材・設備機器等の選択する時に使用できる手段を備える。
【００２６】
建築発注者、建築業者が共通して使用できる３Ｄモデル処理プログラムを備え、建築発注者のプラン・アイデアを標準品あるいはオプション品の建築資材・設備機器等、室内装飾、カラーコーディネイト等の建築資材３Ｄモデル又は建築資材３Ｄテクスチャモデルを使用して仮想３次元空間上に建物３Ｄモデルを作成し、建築発注者自身もこの建物３Ｄモデルに自身のプラン・アイデアを生かせる編集が行なえ、建築発注者、建築業者共にイメージがつかみにくい建築模型の代わりにこの建物３Ｄモデルを使用したプランの検討及び打合せができる手段を備える。
【００２７】
建築基準法及び長期優良住宅のための住宅性能基準（耐震、防火、断熱、防音、通気・換気、劣化軽減、光環境、バリアフリー、防犯の性能）の構造をデジタルカメラで実写撮影した２Ｄ及び３Ｄの写真及び動画の画像データを立体形状表面に貼り付けた解説３Ｄテクスチャモデルと文章及び写真、イラスト等よりなる解説書を組合わせて公開し提供する手段、及び実際の建築発注者住宅に適応される建築基準法及び住宅性能基準構造の実施法とその解説３Ｄテクスチャモデルを作成し建築発注者に提供するビジュアルに解説する手段を備える。
【００２８】
標準品あるいはオプション品の建築資材・設備機器等を使用した建築工事における基礎、柱梁組立、壁床、ドア窓、通換気、配管線、断熱、屋根ベランダ、内外装、設備機器工事、竣工時内外観の工程毎に部分工程写真ではなく工程全体を範囲とした２Ｄ及び３Ｄ写真・動画を撮影し、図面上座標位置、撮影方向、撮影日時、ＧＰＳ情報、方位方向、尺度、コメント等データを記録し、これらを使用し仮想３次元空間上に単層又は内部構造を持った複数層よりなる工事工程管理用の工程３Ｄテクスチャモデルと重点チェツク箇所情報を提供し、建築発注者、建築業者が共に工事スケジュールの確認、工事進捗状況の確認、全体構造・部分構造・内部構造・重点チェツク箇所確認、使用材料等の確認、欠陥工事、手抜き工事、工事ミスを起さないための施工管理を行なえる手段を備える。
【００２９】
サーバーの外部記憶装置に配置されたデータベースにデジタル化した建築工事の建築のプラン・設計・施工・維持・リフォームまでを電子情報処理装置を使用して管理するために使用する顧客元帳、建築資材元帳、材料積算書、発注元帳、工事仕様書、工事工程表、工事予定表、工事指図書、検査要領書、点検検査予定表等の業務管理用データの作成と処理を行なう業務管理用データ処理プログラム、３Ｄモデル処理プログラム、ＡＲ処理プログラム（拡張現実処理のことで携帯電話撮影時画像上に内部構造の３Ｄテクスチャモデル、建築資材情報タグ等を上重表示する技術）、ＥＤＩ積算発注処理プログラムを提供する手段を備える。
【００３０】
公開用に募集して応募したさまざまなライフスタイルの建築・設備のプラン・建築物、インテリア、カラーコーディネイト等の標準品あるいはオプション品の建築資材・設備機器等を使用した３Ｄテクスチモデルを公開して提供する手段を備える。
【００３１】
業務管理用データ処理プログラムにより作成された定期点検スケジュールに基ずき、必要点検箇所をＡＲ処理プログラムにより撮影時画像上に内部構造とそれに使用されている各部材の耐用年数、劣化判定基準等の情報タグを上重表示し、これにより経年劣化を専門家に頼らず建築発注者自身で判定でき、点検、メインテナンス方法を自身でも決めることができ、間取り、設備のインフィルリフォームのための建物内部構造を自身で調査できリフォームを独自のプラン、アイデアでリフォーム３Ｄモデルとして作成でき、メインテナンス、リフォーム工事の全てを業者任せにせず、過剰仕様、過剰工事を防ぐ手段を備える。
【００３２】
建売建築工事で行なわれているようにどの住宅にも標準化した建築資材・設備機器等を使用する標準工事仕様を作成することで多くの住宅を同等の仕様で施工することにより工事の習熟を計り、工事ミスを無くす工事を可能とし、施工納まり及び工程毎の３Ｄテクスチャモデルにより工事指導を行い、施工管理者による直接管理指導を減らせ、業務の効率化が計れ適切な施工管理を行なうことを可能とする手段を備える。
【００３３】
標準化した建築資材・設備機器等を使用することにより工事工程の標準化が行なえ、正確な工事手順による施工計画がたてられ、工事日程を厳守した確実な工事施工と適切な工程区切の完了時点の工程検査確認が行なえ、ＥＤＩデータにより建築工事の材料積算、発注処理、納品管理、下請け業者手配を業務管理用データ処理プログラムで行ない、資材発注ミスを防ぎ、工事の遅延を防ぐ手段を備える。
【００３４】
工事工程毎に工事工程２Ｄ及び３Ｄの写真と動画データ及びこの２Ｄ及び３Ｄ写真をテクスチャ処理した工程３Ｄテクスチャモデルを作成することにより、工事手順、施工納め方のその都度の現場説明を不用とし、工事に携わる作業員の適正工事に対する意識を向上させ、全工程で記録される写真と動画の保存と閲覧ができることにより不正工事を起させない直接管理を必要としない質の高い施工管理を可能とし、絶えず施工管理者が工事現場に行く必要がなくなり施工管理業務の負担を軽減でき、建築発注者、建築業者共に工程の確認を容易に確実に行なえるようになり、欠陥工事、手抜き工事、工事ミスのない工事を可能とする手段を備える。
【００３５】
標準化した建築資材・設備機器等による工事仕様と、実際の建築資材・設備機器、インテリア、カラーコーディネイト等の２Ｄ及び３Ｄの写真と動画データ及びこの２Ｄ及び３Ｄ写真をテクスチャ処理した新築３Ｄテクスチャモデルを作成し、各工程、各部位及び階別、部屋別の内部構造のＡＲ表示を可能とし、使用材料、特徴、利点、性能、効果等を記載したカタログの作成と表示も可能とし、建築基準法及び住宅性能基準も３Ｄテクスチャモデルでビジュアルに解説することにより、既存のモデルハウス以上の情報をインターネットによりPC、携帯電話に提供することを可能とする仮想モデルハウス提供の手段を備える。
【００３６】
住宅性能表示制度で定められた基礎配筋工事の完了時、躯体工事の完了時、下地張りの直前の工事の完了時、竣工時の４時点のみの検査報告だけではなく、工程毎に工程全体を範囲とした単層又は内部構造を持った複数層よりなる全工程毎の工事工程管理用３Ｄテクスチャモデルを添付した検査報告書とすることにより、機能を拡大し欠陥工事、手抜き工事、工事ミスを防ぐ建築発注者、建築業者が共に行なえる施工管理機能を兼ね備えた住宅性能評価書を発行する手段を備える。
【発明の効果】
【００３７】
建築発注者への本発明の効果
【００３８】
建築基準法及び長期優良住宅のための住宅性能基準の構造事例の実写写真の画像データによる解説３Ｄテクスチャモデルにより、難解な法律、基準が素人でも理解しやすく、実際の建築発注者住宅に適応される建築基準法及び住宅性能基準構造も理解しやすくなる。
【００３９】
建築に使用される建築資材・設備機器が標準化し統一されているために、建物３Ｄテクスチャモデルと建築資材３Ｄテクスチャモデルとその製品データとを組合わせて、対費用性能を検討し住宅デザイン、建築資材・設備機器等の選択を行なうことができるようになる。
【００４０】
インターネットで３Ｄテクスチャ仮想モデルハウスが公開されるために、展示場にでかけなくても自宅や会社のＰＣ、携帯電話よりモデルハウスの建物の構造、工事工程、内装外装、設備機器、室内装飾、カラーコーディネイト等及びデルハウスの特徴、機能等及び建築基準法及び住宅性能基準も３Ｄテクスチャモデルを使用しビジュアルに解説したカタログを参照することが可能となる。
【００４１】
実際に建築されたモデルハウスでは見学者は携帯端末のＡＲ処理プログラムにより室内外を撮影し、部屋、位置、方向を検知し、サーバーのデータベースを検索し、検知した箇所のデータを検索し、撮影画像の上に撮影箇所の内部構造、工事工程、使用材料と材料の商品情報を上重ね表示して見学することが可能となる。
【００４２】
応募による建築３Ｄテクスチモデルの公開により、建物をライフスタイル別、建物別、構造別等に分類し、内部構造、使われている建築資材、設備機器の製品情報も検索できる機能が提供されるために、さまざまな建物を系統付けて検索し、自身の新築プランに反映させることが可能となる。
【００４３】
建築発注者、建築業者が共通して使用できる３Ｄモデル処理プログラムを備え、建築発注者のプラン・アイデアを建物３Ｄモデルとして作成し、建築発注者自身もこの建物３Ｄモデルに自身のプラン・アイデアを生かせる編集が行なえ、建築発注者、建築業者共にイメージがつかみにくい建築模型の代わりにこの建物３Ｄモデルを使用したプランの検討及び打合せが可能となる。
【００４４】
工程スケジュールに工程３Ｄテクスチャモデル及び工程に係る納まり３Ｄテクスチャモデルを添付して作成することにより、重点チェツク箇所がわかり、工事スケジュールの確認、工事進捗状況の確認、全体構造・部分構造・内部構造確認、使用材料等の確認を容易に確実に行なえるようになり、欠陥工事、手抜き工事、工事ミスを防ぐための検証が自身でも可能になる。
【００４５】
建築工事竣工後に定期点検維持計画書が作成され、建築発注者自身で定期点検維持計画書に基ずき、必要点検箇所をＡＲ処理プログラムによる撮影時画像上に内部構造各部材の耐用年数、劣化判定基準等の情報タグを上重表示し、これにより経年劣化を専門家に頼らず建築発注者独自に判定でき、点検、メインテナンス方法を自身でも決めることができ、間取り、設備のインフィルリフォームのための建物内部構造を調査でき、リフォームを独自のプラン、アイデアでリフォーム３Ｄモデルを作成でき、メインテナンス、リフォーム工事の全てを業者任せにせず、過剰仕様、過剰工事を防ぐことが可能となる。
【００４６】
建築業者への本発明の効果
【００４７】
宣伝広告のためにインターネットに公開する新築３Ｄテクスチャ仮想モデルハウスにより膨大な建築費、運営維持費を必要としない展示が可能となり、ハウスメーカーのカタログのような部分的な住宅建築の写真だけでは良く理解できない課題が解決でき、このモデルハウスでは建物構造、内部構造、全工程写真、内装外装、設備機器、室内装飾、カラーコーディネイト、使用材料と製品データ等の多くの情報提供と各工程、各部位、階部屋、諸設備の検索が行なえる機能の提供により、既存モデルハウス以上のビジュアル情報が提供でき、販売拡大に有効な手段とすることが可能となる。
【００４８】
中小建設業者は売上減少、資金、人材不足の激しい環境の中Ｗｅｂサイト活用が有効であり、そのために技術力、施工実績主体ではなく、ライフスタイルに合わせ面白く役に立ち多くの人が参加できる３Ｄテクスチャモデルハウス、応募による建築３Ｄテクスチモデルとデジタル化された住まいの履歴書をコア技術とした検索率の高いＷｅｂサイト構築を行なうことができるようになる。
【００４９】
住宅性能表示制度では４時点のみの検査報告が定められているが、全工程の工程毎に工程全体を範囲とした単層又は内部構造を持った複数層よりなる工程管理用３Ｄテクスチャモデルと重点検査項目の部分工程３Ｄテクスチャモデルとを添付でき、性能保証のみではなく質の高い施工保証を行なえ、顧客から信頼を得られ、信用を高める建築業者となることができる。
【００５０】
建築発注者、建築業者が共有する３Ｄモデル処理プログラムによる設計検討ができ、建築発注者のプラン、アイデアを十分に生かせ、設計変更によるトラブルもなく、顧客満足度の高い新築住宅を建築することができる。
【００５１】
標準化して統一した建築資材・設備機器を使用することにより原材料費の低減が計れ、ＥＤＩによる資材発注納品により無駄と発注ミスをなくし、計画どうりの納品管理を行なえ予定どうりの工事が行なえる。
【００５２】
施工管理のための工程スケジュールに添付された工程３Ｄテクスチャモデル及び工程に係る納まり３Ｄテクスチャモデルにより、全工程で撮影される写真と動画の記録と閲覧ができることにより不正工事を起さない施工ができ、建築発注者、建築業者が共に工事スケジュールの確認、工事進捗状況の確認、全体構造・部分構造・内部構造確認、使用材料等の確認を容易に確実に行なえるようになり、絶えず施工管理者が工事現場に行く必要がなくなり施工管理業務の負担を軽減でき、欠陥工事、手抜き工事、工事ミスのない工事を可能とし、やり直し、補正工事等の無駄な経費の発生を防ぐことができる。
【００５３】
建築発注者は定期点検維持計画書に基ずき、点検、メインテナンス方法を自身でも決めることができ、間取り、設備のインフィルリフォームのための建物内部構造を調査でき、リフォームを独自のプラン、アイデアでリフォーム３Ｄモデルを作成できることにより、リフォーム工事内容を十分理解でき、建築業者が作成したリフォーム、メインテナンス工事見積も容易に受入れられやすく、納得してもらった過剰工事ではない適切な改修工事を行なうことが可能となる。
【図面の簡単な説明】
【００５４】
【図１】サーバーデータベース記憶保存データの構成図
【図２】サーバーとクライアントの構成図
【図３】クライアント電子情報処理装置の構成図
【図４】仮想３次元空間上の建物１階３Ｄモデルの斜視図
【図５】窓の３Ｄモデル斜視図
【図６】窓の３Ｄモデルを設置した建物１階３Ｄモデルの斜視図
【図７】柱梁躯体工事工程の建物１階正面の表側をデジタルカメラで撮影した写真
【図８】柱梁躯体工事工程の建物１階正面の裏側をデジタルカメラで撮影した写真
【図９】建物３Ｄテクスチャモデル平面壁正面表側へ２Ｄ写真データ貼付け処理後の斜視図
【図１０】建物３Ｄテクスチャモデル平面壁正面裏側へ２Ｄ写真データ貼付け処理後の斜視図
【図１１】コンクリート基礎の鉄筋配筋をデジタルカメラで撮影した写真
【図１２】コンクリート基礎の平面立面の斜視図
【図１３】コンクリート基礎の平面立面へ２Ｄ写真データ貼付け処理後の斜視図
【図１４】外壁材（サイジングボード）をデジタルカメラで撮影した写真
【図１５】内壁材（石膏ボード）をデジタルカメラで撮影した写真
【図１６】建物３Ｄテクスチャモデル立体構造壁正面表側へ２Ｄ写真データ貼付け処理後の斜視図
【図１７】建物３Ｄテクスチャモデル立体構造壁正面裏側へ２Ｄ写真データ貼付け処理後の斜視図
【図１８】木材３Ｄモデル斜視図
【図１９】木材３Ｄテクスチャモデル斜視図
【図２０】コンクリート基礎と木材の土台、柱、梁を組合わせた躯体構造３Ｄテクスチャモデル斜視図
【発明を実施するための形態】
【００５５】
本発明における字句の解釈は次のとおりである。
【００５６】
「２Ｄ」とはＸ軸、Ｙ軸の２つの次元がある画像、絵画、イラスト、図面、地図等を平面に描くための仮想２次元空間を言う。
【００５７】
「３Ｄ」とはＸ軸、Ｙ軸、Ｚ軸の３つの次元がある建築物、設備機器等を立体形状として描くための仮想３次元空間を言う。
【００５８】
「２Ｄ及び３Ｄの写真及び動画」の写真とはデジタルカメラで撮影した平面の写真、パノラマ写真を言い、動画とはデジタルカメラで撮影した連続した写真よりなる映画を言い、ともに記録フォーマット、圧縮方式を定めデジタル化したものを言う。３Ｄの写真及び動画は基準面に対する視差を利用して位置をずらせた左目用と右目用の２枚の画像を作成し、表示時に２枚の画像を組合せて同時に表示することにより３Ｄ画像を観ることが可能となる。
【００５９】
「３Ｄモデル」とはＸ軸、Ｙ軸、Ｚ軸を持った仮想３次元空間上に建物、建築資材・設備機器等等の設計図に基ずき正面、背面、右側面、左側面、底面、天井面、内壁等の内部構造の複数の立体面又は平面の面で構成され、表面は無色、彩色、又は汎用表面素材を描画した建築資材、設備機器、建物等及びその内部構造を持つ立体形状を言う。
【００６０】
「３Ｄテクスチャモデル」とは仮想３次元空間上に個々の建築物の実際の地盤基礎、建築構造、建築躯体構造、建築工事工程毎構造、建築資材、設備機器、ドアサッシュ、照明器具等のインテリア、配線・配管等を撮影した２Ｄ及び３Ｄの写真、パノラマ写真及び動画の画像データを計算によって画像化し、建築資材、設備機器、建物等及び内部構造を持つ３Ｄモデルの表面に貼り付けた実際の画像を使用した内部構造を持つ建物立体形状をつくった３Ｄテクスチャモデルを言う。２Ｄの写真は１枚の画像を１体の３Ｄモデルの１表面に貼り付けて３Ｄテクスチャモデルを作成する。３Ｄの写真は２枚の画像を２体の同一３Ｄモデルの１表面にそれぞれの画像を視差を設けて（ずらして）貼り付け、２体の３Ｄモデルを重ねて見ることにより立体的に見えるようにした仮想３次元空間ではなくリアル空間での３Ｄテクスチャモデルを作成する。
【００６１】
「デジタル化」とは文字、図面、画像等をコンピュータで処理できるように数値化したデータに変換することを言う。
【００６２】
「サーバー」とはクラウドサーバーのことでありコンピュータネットワークで使用され、サーバーはクライアント（ユーザー）からの要求（リクエスト）に応じて、何らかのサービス（処理）を提供する仮想のハードウェアとソフトウェアで構成され、開発及び実行環境を備え、サービスで使用するデータ、処理プログラムはサーバー及びクライアントの外部記憶装置に記憶保存して使用する。
【００６３】
「データベース」とは建築工事管理のテーマに沿ったデータを集めて管理し、容易に検索・抽出などの再利用をできるようにし、ここではデータベース、データストア、データファイルの形式で目的に応じて使用する。
【００６４】
「外部記憶装置に配置」とは外部記憶装置のハードディスクは記憶されるデータの管理部とデータ記録部に別れ、データを識別する位置情報などを管理部へデータをデータ記録部に記憶保存することを言う。
【００６５】
「ＥＤＩ」とは電子データ交換のことで、伝票情報を電子データで交換することを言い、取引先間でデータ交換をする際には、１通信プロトコル、２コード体系、３メッセージの３つを標準化する。１通信プロトコルにはインターネットを、２コード体系にはＪＡＮコードのような標準化されているコード体系を、３メッセージには業界共通、業界専用、個社別ＥＤＩメッセージの構成を使用する。
【００６６】
「ＪＡＮコード」とは商品の供給責任者（ブランドオーナー、発売元、製造元、輸入元）の企業、さらに該当する企業の何の商品かを表示するものであり、商工会議所、商工会等により標準化されたコードである。
【００６７】
「長期優良住宅」とは２００８年「長期優良住宅の普及の促進に関する法律」で定められ、住まいの基礎、柱、梁、屋根等の骨組みを「スケルトン」、間取り、内装、設備等を「インフィル」といい、スケルトンを世代を超えて住み続けられるよう耐久性、耐震性の高い建物にし、インフィルは住む人のライフスタイルによつて最新の間取りや設備が導入しやすいようにした住宅で、「備えた住まいの履歴書」の作成保存が義務付けられている。
【００６８】
「住まいの履歴書」とは長期優良住宅に対して建築確認・完了検査等書類、設計図、施工記録、維持管理計画書、定期検査・リフォーム暦、設備機器の保証書等を作成保存したものを言う。
【００６９】
「住宅性能表示制度」とは住宅の品質・性能について、国土交通大臣が日本住宅性能表示基準、評価方法基準を定め、国の登録を受けた第三者機関が客観的視点において評価し住宅性能評価書を発行するものであり、基礎配筋工事の完了時、躯体工事の完了時、下地張りの直前の工事の完了時、竣工時の４時点の工程現地調査を含んだ検査報告が必須条件となる。
【００７０】
「工事工程」とは建築工事の施工管理のために工事種類を分類したものであり工事開始から地盤調査、基礎工事、柱梁躯体工事、配管配線工事、屋根ベランダ工事、壁床工事、断熱防音工事、換気通気工事、ドア窓工事、床張工事、内外装工事、設備工事、防犯工事、工事竣工時外観内観の種類がある。
【００７１】
「納まり」とは建築で使用される建築用語で部材の相互の取付け具合のことを言う。
【００７２】
「情報タグ」とはＡＲ処理プログラムで携帯電話撮影時画像上に建築資材情報等の情報を長方形等の一定の領域に記述して上重表示する時に使用するものである。
【００７３】
「画像編集処理プログラム」とはデジタルカメラで撮影した画像に対して、画像の傾き、縮小・拡大、切り取り、広角レンズ、遠近法によるゆがみを形状の補正を行なう、色彩、明るさのカラーの補正を行なう、不用な画像の一部を取り除く等の処理を行なうプログラムである。
【００７４】
「ＲＦＩＤ」とは電波による個体識別のことでＩＤ情報を埋め込んだＲＦタグから電磁界や電波などを用いた近距離の無線通信によって情報をやりとりする技術。
【実施例１】
【００７５】
本発明は図２クライアントとサーバ−を分離したインターネット分散型システムのクライアントが図３電子情報処理装置の携帯端末１５又はＰＣ１７よりなる電子情報処理装置であり、処理に使用するデータはサーバ−のデータベースに建築発注者・建築業者共用データ１２、建築業者専用データ１３、一般公開用データ１４を記憶保存し、クライアントの携帯端末１５又はＰＣ１７にデータ記憶保存用のデータベース１６又は１８を備える。
【００７６】
図１サーバ−のデータベース１１には１から１０までに分類されたデータを記憶保存し処理に使用する。
【００７７】
図１の１は建築工事で使用する建築資材、設備機器、建物をデジタルカメラで撮影してデジタルデータ化した２Ｄ及び３Ｄ写真データ又はパノラマ写真データである。２は建築工事で使用する建築資材、設備機器、建物をデジタルカメラで撮影してデジタルデータ化した２Ｄ及び３Ｄ動画データである。３は建築工事の工事工程毎にデジタルカメラで撮影してデジタルデータ化した２Ｄ及び３Ｄ写真データ又はパノラマ写真データである。４は建築工事の工事工程毎にデジタルカメラで撮影してデジタルデータ化した２Ｄ及び３Ｄ動画データである。
【００７８】
建築資材、設備機器、建物２Ｄ及び３Ｄ写真データ１はそれぞれの資材・設備・建物毎に、工事工程２Ｄ及び３Ｄ写真データ３は各工程毎に撮影し、対象全体、基礎、建物、建物間取り毎の正面、背面、右側面、左側面、底面、天井面、内壁、外壁等の全構造の写真で構成される。
【００７９】
図１の８は２の動画データを画像編集処理プログラムで編集して写真に変換したデータである。１０は４の動画データを画像編集処理プログラムで編集して写真に変換したデータである。
【００８０】
図１の２及び４の動画データは建物外周全体、部屋内全周、最下段から上段までの階段、屋根構造、床下構造、屋根裏構造等の全体表示を行なう、配管、配線、雨どい等の連続構造等の全体表示を行なう、木組への耐震金具取付け等の表裏の表示を行なう、コンクリート基礎開口部等連続性の表示を行なう、コンクリート打込の均質性の確認を行なう等の連続性の表示を行なう時に使用する。
【００８１】
図１の１から５までの２Ｄ及び３Ｄ写真データ及び動画データには撮影時又は撮影後に撮影箇所の設計図の図面番号、図面種類、階数、部屋名、図面座標位置、撮影時の撮影位置、撮影方向、ＧＰＳ情報、方位、日時、尺度、コメント等のデータを作成追加して記録する。
【００８２】
図１の６は設計図、プラン、アイデアより作成した内部構造を持った建物３Ｄモデル及び建築資材、設備機器の製品図面より作成した建築資材・設備機器３Ｄモデルのデータであり、これらの３Ｄモデルに建物及び建築資材・設備機器等３Ｄテクスチャモデルを設置し仮想３次元空間上に設計プラン検討用の立体形３Ｄモデルを作成したデータである。
【００８３】
３Ｄモデル及び３Ｄテクスチャモデルは建築発注者、建築業者は共通３Ｄモデル処理プログラムにより作成、編集が行え、建築発注者自身も建物３Ｄモデルに自身のプラン・アイデアを生かせる編集が行なえ、建築発注者、建築業者共にイメージがつかみにくい建築模型の代わり使用したプランの検討及び打合せが行なえる。
【００８４】
図１の７は３Ｄモデルデータ６により作成された３Ｄモデルの表面に建築資材・設備機器・建物２Ｄ及び３Ｄ写真データ１及び８を貼付けるテクスチャ処理を行い仮想３次元空間上に建築資材・設備機器・建物３Ｄテクスチャモデルを作成したデータである。図１の９は工事工程毎の内部構造を持って作成された３Ｄモデルの表面に工事工程の２Ｄ及び３Ｄ写真データ３及び１０を貼付けるテクスチャ処理を行い仮想３次元空間上に工程３Ｄテクスチャモデルを作成したデータである。
【００８５】
図１の７及び９の３Ｄテクスチャモデルは建物の内部構造、工程写真が検索表示できるよう建物の階別、間取り別コードを主インデックスとし、このコードに設計図コード、工事工程コード、建築資材・設備機器コードを副インデックスとして連結したコード化を行い、それぞれのモデルのデータに追加してデータベースに記憶保存する。このデータを使用して建物の建物、階数、間取りより検索を行い、検索結果の３Ｄテクスチャモデルとモデルに係る２Ｄ及び３Ｄ内部構造、工程写真、使用資材等及び写真、動画を表示することを可能とする。
【００８６】
図１の業務管理用データ５は電子情報処理装置で業務管理用データ処理プログラムによる顧客元帳、建築資材元帳、材料積算書、発注元帳、工事仕様書、工事工程表、工事予定表、工事指図書、検査要領書、点検検査予定表等処理に使用する図２の建築発注者・建築業者共用データ１２、建築業者専用データ１３、一般公開用データ１４であり、建築工事の設計施工維持管理に使用する。
【００８７】
建築材料費の削減、工事の習熟、工事ミス削減、施工納まり及び工事工程毎の３Ｄテクスチャモデルによる工事指導による施工管理業務効率化を目的として、いずれの住宅でも同等の仕様で工事ができるよう、建築工事に使用する建築資材・設備機器、外装内装、ドアサッシュ、照明器具、インテリア、配線・配管等は統一して標準化する。これら標準化した建築資材、設備機器の建築資材元帳には設計図、メーカーコード、メーカー名、商品コード、商品名、性能、設計価格、耐用年数、劣化判定基準、ＥＤＩ情報等の製品情報を作成し記憶保存しておく。標準化されていないオプション建築資材、設備機器を使用する場合はメーカーコード、商品コードを必須情報とし、この情報によりオプションメーカーの製品情報サイトよりデータを入手して記憶保存する。３Ｄモデルデータ６及び３Ｄテクスチャモデルデータ７と９には、これらモデル作成時に各箇所で使用される建築資材、設備機器を商品コードで連結させ、これらの製品情報をモデルに係るデータとして追加しておくことにより、３Ｄモデル及び３Ｄテクスチャモデルの表示処理時にモデル各箇所で使用されている建築資材等の製品情報も表示でき、建築発注者が対費用性能を検討し建築資材・設備機器等の選択する時に使用することが可能となる。
【００８８】
標準化した建築資材・設備機器等を使用することにより工事工程の標準化が行なえ、業務管理用データ処理プログラムによる工事予定表作成により正確な工事手順による施工計画がたてられ工事日程を厳守した確実な工事施工と工程検査確認が行なえ、ＥＤＩデータにより建築工事の材料積算、発注処理、納品管理、下請け業者手配を業務管理用データ処理プログラムで行なえ、資材発注ミスを防ぎ、工程待ち、工事の遅延、やり直し工事を防ぐことが可能となる。
【００８９】
図４は３Ｄモデル処理プログラムでＸ軸３０、Ｙ軸３１、Ｚ軸３２を持った仮想３次元空間に設計時の設計図、プラン、アイデアに基づき建物１階の建物３Ｄモデル３３を作成したものである。図５は窓の建築資材、設備機器３Ｄモデル３４で、図６は窓３Ｄモデル３４を建物に取付けた建物３Ｄモデル３５であり、このモデルは建築発注者、建築業者が共通３Ｄモデル処理プログラムにより編集することができる。ここでの建築資材、設備機器３Ｄモデル、建物３Ｄモデルは表面に実際の工事で使用した写真データを貼付けるテクスチャ処理を行なわない、あるいは建築中の実写写真ではない既成製品、既成建物の写真及び画像データを貼付けるテクスチャ処理を行なうのいずれかのモデルよりなる。
【００９０】
図７は柱梁躯体工事工程の建物１階正面の表側をカメラで撮影した写真であり、図８は柱梁躯体工事工程の建物１階正面の裏側をカメラで撮影した写真であり、梁４０、柱４１、パイプ足場４２、遠景に写っているマンション４３が写っている。図９は平面壁正面の表側４４、裏側４５よりなる建物３Ｄテクスチャモデルの表側へ図７写真データを貼付け処理し、図１0は平面壁正面の表側４４、裏側４５よりなる建物３Ｄテクスチャモデルの裏側へ図８写真データを貼付け処理した建物１階立体図である。図９及び図１0の建物１階正面を壁厚のある壁構造にする場合は表側４４と裏側４５の間に壁厚のある建物３Ｄテクスチャモデルを使用する。図７及び図８の写真は、図９及び図１０のようにそのまま貼付け処理するか、あるいは躯体工事工程管理には直接関係ないパイプ足場４２、遠景に写っているマンション４３等を画像編集処理プログラムで除去するあるいはぼかす等の編集をして貼付け処理するかのいずれかにより行なう。工事工程３Ｄテクスチャモデルは部分的な２Ｄ工程写真ではなく各工程毎に全体構造、基礎、建物、建物間取り毎の正面、背面、右側面、左側面、底面、天井面、内壁等の全ての２Ｄ及び３Ｄ写真及び動画により作成する。
【００９１】
図１１はコンクリート基礎用の鉄筋４６を配筋した鉄筋配筋写真であり、図１２は鉄筋を配筋する鉄筋コンクリート基礎立面図４７であり、図１３は図１２に図１１の鉄筋配筋４８の写真データを貼付け処理した鉄筋コンクリート基礎３Ｄテクスチャモデルである。
【００９２】
建物のように基礎、柱梁組立、壁床、ドア窓、通換気、配管線、断熱、屋根ベランダ、内外装、設備機器工事、竣工時内外観等の工程があり内部構造を持つ場合には工程毎に図９及び図１０のような平面表裏に写真データを貼付け処理した内部構造を重合わせること（レイヤ）ができる建物３Ｄテクスチャモデルを作成する。鉄筋コンクリート基礎のように鉄筋の単一内部構造の場合も図１３のように平面表裏に写真データを貼付け処理した建物３Ｄテクスチャモデルを作成する。
【００９３】
図１４は外壁工事工程のサイジングボード４９を貼付けた建物１階正面の表側をカメラで撮影した写真であり、図１５は内壁工事工程の石膏ボード５０を貼付け、継目箇所シーリング５１、釘打箇所シーリング５２を行なった建物１階正面の裏側をカメラで撮影した写真である。図１６は立体構造５５を持った壁正面の表側５３、裏側５４よりなる建物３Ｄテクスチャモデルの表側へ図１４写真データを貼付け処理し、図１７は立体構造５５を持った壁正面の表側５３、裏側５４よりなる建物３Ｄテクスチャモデルの裏側へ図１５写真データを貼付け処理した建物１階立体図である。立体構造５５は複数階層（レイヤ）よりなる図９及び図１０の建物３Ｄテクスチャモデル型式による複数の平面構造の集積により構成される。
【００９４】
図１８は木材３Ｄモデル５６であり、図１９は木材３Ｄモデル全面に木材の写真を貼付けた木材３Ｄテクスチャモデル５７であり、図２０は開口点検部６２を備えたコンクリート基礎６１の上に土台３Ｄテクスチャモデル５８、柱３Ｄテクスチャモデル５９、梁３Ｄテクスチャモデル６０を接合させた躯体構造３Ｄテクスチャモデルである。
【００９５】
建築工程のように工程が同じ箇所で重なっていくような構造（レイヤ）を持つ立体物に対しては工程毎に図９及び図１０又図１３はのように工程毎立体表面に写真データを貼付け処理した複数の平面構造より構成される建物構造３Ｄテクスチャモデルを作成する。建物の外壁工事工程、内装工事工程のように単一の構造を持つ表面立体物に対しては図１６及び図１７のような立体構造表裏に写真データを貼付け処理した建物３Ｄテクスチャモデルを作成する。基礎、土台、梁、柱、床下構造、屋根構造のような建物躯体工程や建築資材、設備機器等の構造の場合は図１９及び図２０のように構造物立体全面に写真データを貼付け処理した建物躯体、建築資材、設備機器３Ｄテクスチャモデルを作成する。
【００９６】
建築基準法及び長期優良住宅のための住宅性能基準（耐震、防火、断熱、防音、通気・換気、劣化軽減、光環境、バリアフリー、防犯の性能）の構造をデジタルカメラで実写撮影した２Ｄ及び３Ｄの写真及び動画の画像データを立体形状表面に貼り付けた解説３Ｄテクスチモデルと建築基準法及び住宅性能基準の解説を文章、写真、イラスト等で構成する解説書を組合わせて作成して公開する。設計プラン時に建築発注者への解説のための実際の発注者住宅の設計プランに適応する個別建物対応の建築基準法及び住宅性能基準構造を３Ｄテクスチモデルと建築基準法及び住宅性能基準の解説書を組合わせて作成し提供する。
【００９７】
図２電子情報処理装置ではサーバー又は電子情報処理装置に記憶保存された各種処理プログラムにより建築発注者・建築業者共用データ１２、建築業者専用データ１３、一般公開用データ１４を使用した処理を行なう。処理プログラムには３Ｄモデル及び３Ｄテクスチャモデルの作成、編集処理を行なう３Ｄモデル処理プログラム、業務管理用データの処理を行なう業務管理用データ処理プログラム、電子情報処理装置の表示装置に表示される画像上に内部構造の３Ｄテクスチャモデル、建築資材情報タグ等を上重表示するＡＲ処理プログラム（拡張現実処理プログラム）、製品情報のＥＤＩ情報による建築資材、設備機器のＥＤＩ積算発注処理プログラムがある。
【００９８】
建築施工管理のための工程スケジュールを明確に定めた工事施工計画書を業務管理用データ処理プログラムにより作成する。施工計画書は年月日を指定した工程スケジュール表と既設建築工事を事例とした２Ｄ及び３Ｄ写真、動画データを使用して工程毎の工程３Ｄテクスチャモデル及び工程に係る納まり３Ｄテクスチャモデルを添付して作成する。ここでの工程３Ｄテクスチャモデルは単独の工程又は柱梁組立と配管配線工事等を組合わせた複数工程よりなる工程がある。工程毎の工程３Ｄテクスチャモデルによりどこまでの工事を何時の期日までに行なえば良いかを具体的に示せ、納まり３Ｄテクスチャモデルにより重点チェツク箇所情報を提供し、工事手順、施工納め方のその都度の現場説明を不用とし、工事ミス、やり直しを防ぎ工事の質を高め、工事に携わる作業員の適正工事に対する意識を向上させ、全工程で撮影される写真と動画の記録と閲覧ができることにより不正工事を起さない直接の施工管理を不用とする施工管理が行なえ、建築発注者、建築業者が共に工事スケジュールの確認、工事進捗状況の確認、全体構造・部分構造・内部構造確認、使用材料等の確認を容易に確実に行なえるようになり、絶えず施工管理者が工事現場に行く必要がなくなり施工管理業務の負担を軽減でき、欠陥工事、手抜き工事、工事ミスのない工事を可能とする。
【００９９】
建築工事竣工後の点検メインテナンスのための定期点検維持計画書を業務管理用データ処理プログラムにより作成する。建築発注者は定期点検維持計画書に基ずき、必要点検箇所をＡＲ処理プログラムによる撮影時画像上に内部構造各部材の耐用年数、劣化判定基準等の情報タグを上重表示し、これにより経年劣化を専門家に頼らず建築発注者自身で判定でき、点検、メインテナンス方法を自身でも決めることができ、間取り、設備のインフィルリフォームのための建物内部構造を調査でき、リフォームを独自のプラン、アイデアでリフォーム３Ｄモデルとして作成でき、メインテナンス、リフォーム工事の全てを業者任せにせず、過剰仕様、過剰工事を防ぐことが可能となる。
【０１００】
建物３Ｄテクスチャモデルを公開用に募集するために３Ｄモデル処理プログラムと標準化された又はオプションの建築資材、設備機器の製品情報及びインポート用建築資材、設備機器の３Ｄモデル又は３Ｄテクスチャモデルを公開し、これらに基づき作成したさまざまなライフスタイルの建物、内部構造、設備機器、インテリア、カラーコーディネイトの２Ｄ及び３Ｄの写真及び動画、建築３Ｄモデル、建築３Ｄテクスチャモデルのデータを応募してもらいデータベースに記憶保存する。応募された建物３Ｄテクスチャモデルはライフスタイル別、建物構造別等に分類し、内部構造、使われている建築資材、設備機器の製品情報も検索できるようにインターネットにより公開する。
【実施例２】
【０１０１】
宣伝広告のために実際に建築したモデルハウスではなくインターネットで閲覧可能な一般公開用仮想モデルハウスとして標準化した建築資材・設備機器等による設計図、工事仕様と製品としての建築資材・設備機器、インテリア、カラーコーディネイト及び既施工済工事の工事工程の２Ｄ及び３Ｄの写真と動画データ及びこの２Ｄ及び３Ｄ写真をテクスチャ処理したさまざまなタイプの新築３Ｄテクスチャ仮想モデルハウスを作成し、この仮想モデルハウスの特徴、機能等及び建築基準法及び住宅性能基準も３Ｄテクスチャモデルを使用しビジュアルに解説したカタログを作成しインターネットによりＰＣ、携帯端末向けに公開する。新築３Ｄテクスチャ仮想モデルハウスは建物の構造、内装外装、設備機器、室内装飾、カラーコーディネイトのテクスチャを貼付けた単層又は内部構造を持った複数層よりなる建築３Ｄテクスチャモデルであり、各工程、各部位、階数、部屋、諸設備の検索が行なえ、検索により該等する箇所のＡＲ表示により内部構造、使用材料、性能特徴、機能効果、利点、耐用年数等を上書き表示し既存のモデルハウス以上の情報をインターネットによりＰＣ、携帯端末に提供することを可能とする。
【０１０２】
実際に建築されたモデルハウスの場合は施工時の建物構造、使用建築資材・設備機器、工事工程を撮影した２Ｄ及び３Ｄの写真と動画データにより新築３Ｄテクスチャモデルを作成しサーバーのデータベースに記憶保存しておく。モデルハウスの見学者は携帯端末のＡＲ処理プログラムにより室内外を撮影し、部屋、位置、方向による対象位置を検知する。対象位置の検知方法はＡＲ処理プログラムにより画像より部屋等の特徴を解析してマーカーとする、部屋等に設置したＲＦＩＤを無線通信機能で読取る、モデルハウスに設置する無線装置による電波を読取り部屋等を識別する方法で行なう。対象位置検知後に検知情報によりサーバーのデータベースを検索し、検知した箇所のデータを検索し、撮影画像の上に撮影箇所の内部構造、工事工程、使用材料、材料製品情報等を上重ね表示して見学することを可能とする。同様にモデルハウス内又は自宅等に設置された電子情報処理装置により、見学者はモデルハウスに出向いてあるいは自宅等において、新築３Ｄテクスチャモデルハウス、内部構造、工事工程、使用材料、材料製品情報、カタログを閲覧することが可能となる。
【実施例３】
【０１０３】
本発明では建築工事における基礎、柱梁組立、壁床、ドア窓、通換気、配管線、断熱、屋根ベランダ、内外装、設備機器工事、竣工時内外観の工程毎に部分工程写真ではなく工程全体を範囲とした２Ｄ及び３Ｄ写真・動画を撮影し、これらを使用し単層又は内部構造を持った複数層よりなる工事工程管理用３Ｄテクスチャモデル及び重要点検箇所の部分構造及び部分工程３Ｄテクスチャモデルを作成する。住宅性能表示制度では定められた基礎配筋工事の完了時、躯体工事の完了時、下地張りの直前の工事の完了時、竣工時の４時点の部分的な工程写真を添付した検査報告が要求されているが、４時点のみの検査報告だけではなく必要とされてる工程を含んだ全工程の、重点検査項目の部分工程及び部分構造３Ｄテクスチャモデルと工程毎に工程全体を範囲とした単層又は内部構造を持った複数層よりなる工程３Ｄテクスチャモデルを添付した検査報告書とすることにより、検査要件を満たし、機能を拡大し、欠陥工事、手抜き工事、工事ミスを防ぎ、分かり易く、適正十分な検査を可能とし、建築発注者、建築業者が共に自身で行なえる施工管理機能を兼ね備えた住宅性能評価書を発行することが可能となる。
【符号の説明】
【０１０４】
１      サーバー上のデータベースに記憶される建築資材、設備機器、建物の２Ｄ及び３Ｄ写真データ
２      サーバー上のデータベースに記憶される建築資材、設備機器、建物の２Ｄ及び３Ｄ動画データ
３      サーバー上のデータベースに記憶される工事工程の２Ｄ及び３Ｄ写真データ
４      サーバー上のデータベースに記憶される工事工程の２Ｄ及び３Ｄ動画データ
５      サーバー上のデータベースに記憶される業務管理用データ
６      サーバー上のデータベースに記憶される建築資材、設備機器、建物３Ｄモデルデータ
７      サーバー上のデータベースに記憶される建築資材、設備機器等、建物３Ｄテクスチャモデルデータ
８      サーバー上のデータベースに記憶される建築資材、設備機器等動画データを写真データに変換した写真データ
９      サーバー上のデータベースに記憶される工事工程３Ｄテクスチャモデルデータ
１０    サーバー上のデータベースに記憶される工事工程動画データを写真データに変換した写真データ
１１    サーバー上のデータベースに記憶された全データ
１２    クライアントサーバーシステムのサーバー上のデータベースに記憶された建築発注者、建築業者共用データ
１３    クライアントサーバーシステムのサーバー上のデータベースに記憶された建築業者専用データ
１４    クライアントサーバーシステムのサーバー上のデータベースに記憶された一般公開用データ
１５    クライアントサーバーシステムのクライアント側の携帯端末の電子情報処理装置
１６    クライアントサーバーシステムのクライアント側の携帯端末の電子情報処理装置上のデータベース
１７    クライアントサーバーシステムのクライアント側のＰＣの電子情報処理装置
１８    クライアントサーバーシステムのクライアント側のＰＣの電子情報処理装置上のデータベース
１９    電子情報処理装置に備えられたインターネットにより通信する装置
２０    電子情報処理装置に備えられた外部記憶装置に記憶保存されるデータベース
２１    電子情報処理装置に備えられた外部記憶装置に記憶保存される処理プログラム
２２    電子情報処理装置に備えられたキーによる入力装置
２３    電子情報処理装置に備えられたタッチパネル処理機能を備えた２Ｄ及び３Ｄ表示装置
２４    電子情報処理装置に備えられた印刷装置
２５    電子情報処理装置に備えられた無線によりデータの送受信を行なう通信装置
２６    電子情報処理装置に備えられたGPS、地磁気、加速度センサー装置
２７    電子情報処理装置に備えられた写真及び動画撮影装置
３０    仮想３次元空間のＸ軸
３１    仮想３次元空間のＹ軸
３２    仮想３次元空間のＺ軸
３３    建物１階３Ｄモデル
３４    窓３Ｄモデル
３５    建物１階３Ｄモデル
４０    梁
４１    柱
４２    パイプ足場
４３    マンション
４４    平面壁正面表側
４５    平面壁正面裏側
４６    鉄筋
４７    コンクリート基礎の平面立面
４８    鉄筋配筋
４９    サイジングボード
５０    石膏ボード
５１    継目箇所シーリング
５２    釘打箇所シーリング
５３    立面壁正面表側
５４    立面壁正面裏側
５５    立体構造壁
５６    柱３Ｄモデル
５７    柱３Ｄテクスチャモデル
５８    土台３Ｄテクスチャモデル
５９    柱３Ｄテクスチャモデル
６０    梁３Ｄテクスチャモデル
６１    コンクリート基礎
６２    開口点検部
【図１】
2012022551.tif 000003
【図２】
2012022551.tif 000004
【図３】
2012022551.tif 000005
【図４】
2012022551.tif 000006
【図５】
2012022551.tif 000007
【図６】
2012022551.tif 000008
【図７】
2012022551.tif 000009
【図８】
2012022551.tif 000010
【図９】
2012022551.tif 000011
【図１０】
2012022551.tif 000012
【図１１】
2012022551.tif 000013
【図１２】
2012022551.tif 000014
【図１３】
2012022551.tif 000015
【図１４】
2012022551.tif 000016
【図１５】
2012022551.tif 000017
【図１６】
2012022551.tif 000018
【図１７】
2012022551.tif 000019
【図１８】
2012022551.tif 000020
【図１９】
2012022551.tif 000021
【図２０】
2012022551.tif 000022